(57)【特許請求の範囲】
【請求項１】
画像を撮像しメモリカードに記録するデジタルカメラであって、
電源をオンオフするための第１パワースイッチを有し、前記画像を撮像するカメラ本体と、
電源をオンオフするための第２パワースイッチを有し、前記メモリカードに前記画像を書き込み可能であり、前記カメラ本体に対して着脱自在なメモリカードドライブユニットと、
前記メモリカードドライブユニットが前記カメラ本体に装着されたときに前記デジタルカメラの外部に露出しない位置に前記第２パワースイッチが設けられ、前記第１パワースイッチで前記メモリカードドライブユニットの電源のオンオフを可能にする電源供給回路と
を備えるデジタルカメラ。
【請求項２】
画像を撮像しメモリカードに記録するデジタルカメラであって、
前記画像を撮像するカメラ本体と、
前記メモリカードに前記画像を書き込み可能であり、前記カメラ本体に対して着脱自在なメモリカードドライブユニットと
を備え、
前記メモリカードドライブユニットは、前記メモリカードドライブユニットが前記カメラ本体に装着されたときに前記デジタルカメラの外部に露出しない位置に設けられたメモリカード取り出しボタンを有するデジタルカメラ。
【請求項３】
前記メモリカードドライブユニットは、前記カメラ本体から取り外された状態で、前記メモリカードに格納された音楽データを再生可能な音楽再生部を有する請求項１または請求項２に記載のデジタルカメラ。
【請求項４】
前記メモリカードドライブユニットは、前記カメラ本体に装着されたときに前記デジタルカメラの外部に露出する位置に、前記音楽データを出力する接続端子を有する請求項３に記載のデジタルカメラ。
【請求項５】
前記カメラ本体および前記メモリカードドライブユニットが、それぞれ第１電源ユニットおよび第２電源ユニットを有し、
前記メモリカードドライブユニットが前記カメラ本体に装着されたときには、前記第１電源ユニットおよび前記第２電源ユニットは、それぞれ前記メモリカードドライブユニットおよび前記カメラ本体へ電力供給できる請求項１乃至請求項４のいずれか一項に記載のデジタルカメラ。
【請求項６】
前記メモリカードドライブユニットが前記カメラ本体に装着されたときには、前記メモリカードドライブユニットの電源をオンオフするためのパワースイッチによって、前記カメラ本体の電源をオンオフできる請求項２に記載のデジタルカメラ。
【請求項７】
前記デジタルカメラは、前記メモリカードドライブユニットが前記カメラ本体に装着されたときに、画像データ及び音楽データを選択して再生することが可能であり、
前記メモリカードドライブユニットは、前記カメラ本体から取り外された状態で、音楽データのみを選択して再生できる請求項１乃至請求項６のいずれか一項に記載のデジタルカメラ。
【発明の詳細な説明】
【０００１】
【発明の属する技術分野】
本発明は、デジタルカメラに関する。特に本発明は、画像および音声の記録再生機能を有するデジタルカメラに関する。
【０００２】
【従来の技術】
画像および音声の記録再生を行うデジタルカメラが考案されている。特開平７−３２２１９５号公報は、拡張カードと記録媒体とを着脱可能に接続できるデジタルカメラを開示する。
【０００３】
【発明が解決しようとする課題】
これまで考案されている音声や音楽も聴くことがデジタルカメラは、設計思想において画像撮像専用のデジタルカメラと変わりがなく、画像撮像および画像の記録再生を目的とした設計に音声再生機能を付加しただけの構造となっている。このため重量が重く、また形状が大きいので、音声や音楽を携帯して楽しむという目的には適していない。
【０００４】
そこで本発明は、上記の課題を解決することのできるデジタルカメラを提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態におけるデジタルカメラは、画像を撮像しメモリカードに記録するデジタルカメラであって、画像を撮像するカメラ本体と、メモリカードに画像を書き込み可能であり、カメラ本体に対して着脱自在なメモリカードドライブユニットとを備える。
【０００６】
メモリカードドライブユニットは、カメラ本体から取り外された状態で、メモリカードに格納された音楽データを再生可能な音楽再生部を有しても良い。メモリカードドライブユニットは、カメラ本体に装着されたときに、デジタルカメラの外部に露出する位置に、音楽データを出力する接続端子を有しても良い。カメラ本体およびメモリカードドライブユニットは、それぞれ第１電源ユニット、第２電源ユニットを備え、メモリカードドライブユニットがカメラ本体に装着されたときには、第１電源ユニットと第２電源ユニットが、それぞれメモリカードドライブおよびカメラ本体へ電力供給を行うことができる電源供給回路を有しても良い。カメラ本体およびメモリカードドライブユニットが、電源をオンオフするためにそれぞれ第１パワースイッチ、および第２パワースイッチを有し、メモリカードドライブユニットがカメラ本体に装着されたときには、デジタルカメラの外部に露出しない位置に第２パワースイッチが設けられ、第１パワースイッチでメモリカードドライブユニットの電源のオン・オフが可能になる電源供給回路を有しても良い。メモリカードドライブユニットがカメラ本体に装着されたときには、メモリカードドライブユニットの電源をオンオフするためのパワースイッチによって、カメラ本体の電源をオンオフできる電源供給回路を有しても良い。メモリカードドライブユニットが、メモリカード取り出しボタンを備え、メモリカードドライブユニットがカメラ本体に装着されたときにデジタルカメラの外部に露出しない位置に、メモリカード取り出しボタンを設けても良い。デジタルカメラは、メモリカードドライブユニットがカメラ本体に装着されたときに、画像データ及び音楽データを選択して再生することが可能であり、メモリカードドライブユニットは、カメラ本体から取り外された状態で、音楽データのみを選択して再生しても良い。
【０００７】
なお上記の発明の概要は、本発明の必要な特徴の全てを列挙したものではなく、これらの特徴群のサブコンビネーションも又発明となりうる。
【０００８】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【０００９】
（実施形態１）
図１は、本発明の第１の実施形態に係るデジタルカメラ１０全体の構成を示すブロック図である。第１電源ユニット４１６および第２電源ユニット４１８は図１には省略し、図５において説明する。
【００１０】
デジタルカメラ１０は、カメラ本体１２とカメラ本体１２に対して着脱自在なメモリカードドライブユニット２００とを備える。
【００１１】
カメラ本体１２は、撮像ユニット２０、音声取得ユニット１３０、制御ユニット４０、カメラ操作ユニット１１０、および第１表示ユニット１００を有する。
【００１２】
一方、メモリカードドライブユニット２００は、処理ユニット６０、データ操作ユニット１２０、および第２表示ユニット１０１を有する。
【００１３】
撮像ユニット２０は、撮影および結像に関する機構部材並びに電気部材を含む。撮像ユニット２０はまず、映像を取り込んで処理を施す撮像レンズ２２、絞り２４、シャッタ２６、光学ＬＰＦ２８、ＣＣＤ３０、および撮像信号処理部３２、フォーカスレンズやズームレンズ等からなる。この構成により、被写体像がＣＣＤ３０の受光面上に結像する。結像した被写体像の光量に応じ、ＣＣＤ３０の各センサエレメント（図示せず）に電荷が蓄積される（以下その電荷を「蓄積電荷」という）。蓄積電荷は、リードゲートパルスによってシフトレジスタ（図示せず）に読み出され、レジスタ転送パルスによって電圧信号として順次読み出される。
【００１４】
デジタルカメラ１０は一般に電子シャッタ機能を有するので、シャッタ２６のような機械式シャッタは必須ではない。電子シャッタ機能を実現するために、ＣＣＤ３０にシャッタゲートを介してシャッタドレインが設けられる。シャッタゲートを駆動すると蓄積電荷がシャッタドレインに掃き出される。シャッタゲートの制御により、各センサエレメントに電荷を蓄積するための時間、すなわちシャッタスピードが制御できる。
【００１５】
ＣＣＤ３０から出力される電圧信号、すなわちアナログ信号は撮像信号処理部３２でＲ、Ｇ、Ｂ成分に色分解され、まずホワイトバランスが調整される。つづいて撮像信号処理部３２はガンマ補正を行い、必要なタイミングでＲ、Ｇ、Ｂ信号を順次Ａ／Ｄ変換し、その結果えられたデジタルの画像データ（以下単に「デジタル画像データ」とよぶ）を処理ユニット６０へ出力する。
【００１６】
撮像ユニット２０はさらに、ファインダ３４とストロボ３６を有する。ファインダ３４には図示しないＬＣＤを内装してもよく、その場合、後述のメインＣＰＵ６２等からの各種情報をファインダ３４内に表示できる。ストロボ３６は、コンデンサ（図示せず）に蓄えられたエネルギが放電管３６ａに供給されたときそのが発光することで機能する。
【００１７】
音声取得ユニット１３０は、外界の音声を取得するための機構部材および電気部材を含む。音声取得ユニット１３０は、音声を取り込んで処理を施すマイクロホン１３２および音声信号処理部１３４を含む。音声信号処理部１３４は、マイクロホン１３２が取り込んだ音声信号を必要なタイミングで順次Ａ／Ｄ変換し、その結果得られた音声データ（以下単に「デジタル音声データ」とよぶ）を処理ユニット６０へ出力する。音声信号処理部１３４は、ノイズを軽減するための処理や、音声レベルを調整する処理を行っても良い。
【００１８】
制御ユニット４０は、ズーム駆動部４２、フォーカス駆動部４４、絞り駆動部４６、シャッタ駆動部４８、それらを制御する制御系ＣＰＵ５０、測距センサ５２、および測光センサ５４をもつ。ズーム駆動部４２などの駆動部は、それぞれステッピングモータ等の駆動手段を有する。多段階スイッチユニット（図示せず）の押下げに応じ、測距センサ５２は被写体までの距離を測定し、測光センサ５４は被写体輝度を測定する。測定された距離のデータ（以下単に「測距データ」という）および被写体輝度のデータ（以下単に「測光データ」という）は制御系ＣＰＵ５０へ送られる。制御系ＣＰＵ５０は、ユーザからの指示されたズーム倍率等の撮像情報に基づき、ズーム駆動部４２とフォーカス駆動部４４を制御して撮像レンズ２２のズーム倍率とピントの調整を行う。
【００１９】
制御系ＣＰＵ５０は、１画像フレームのＲＧＢのデジタル信号積算値、すなわちＡＥ情報に基づいて絞り値とシャッタスピードを決定する。決定された値に従い、絞り駆動部４６とシャッタ駆動部４８がそれぞれ絞り量の調整とシャッタ２６の開閉を行う。
【００２０】
制御系ＣＰＵ５０はまた、測光データに基づいてストロボ３６の発光を制御し、同時に絞り２４の絞り量を調整する。ユーザが映像の取り込みを指示したとき、ＣＣＤ３０が電荷蓄積を開始し、測光データから計算されたシャッタ時間の経過後、蓄積電荷が３２へ出力される。
【００２１】
第１表示ユニット１００は、ＬＣＤモニタ１０２を有する。ＬＣＤモニタ１０２は、ＬＣＤドライバであるモニタドライバ１０６によって制御される。ＬＣＤモニタ１０２は、例えば３インチ程度の大きさでカメラ背面に設けられ、現在の撮影や再生のモード、撮影や再生のズーム倍率、電池残量、日時、モード設定のための画面、被写体画像などを表示する。
【００２２】
カメラ操作ユニット１１０は、ユーザーがデジタルカメラ１０の動作やそのモードなどを設定または指示するために必要な機構および電気部材を含む。カメラ本体部パワースイッチ１１２は、デジタルカメラ１０の電源のオンオフを決める。レリーズスイッチ１１４は、２段階押し込み構造になっていて、中途押し下げ状態および最終押し下げ状態の２つの状態においてそれぞれ作動する２つのスイッチを含む、一例として、中途押し下げ状態で、自動フォーカス、自動露出なのど記録品質調整処理が行われる。続いて最終押し込み状態で画像、音声などの情報の取り込みが行われる。そして、必要な信号処理、データ圧縮の後、メインメモリ６８、メモリカード７６等に記録される。カメラ操作ユニット１１０はこれらのスイッチの他、回転式のモードダイヤルや十字キーなどによる設定を受け付けても良く、それらは図１において機能設定部１１６と総称されている。ズームスイッチ１１８は、ズーム倍率を決める。カメラ操作ユニット１１０で指定できる動作または機能の例として、「ファイルフォーマット」、「特殊効果」、「印画」、「決定／保存」、「表示切替」等がある。
【００２３】
処理ユニット６０は、デジタルカメラ１０全体、特に処理ユニット６０自身を制御するメインＣＰＵ６２と、これによって制御されるメモリ制御部６４、ＹＣ処理部７０、メモリカードドライブ制御部７４、圧縮伸張処理部７８、通信Ｉ／Ｆ部８０、音声出力部９４を有する。メインＣＰＵ６２は、シリアル通信などにより、制御系ＣＰＵ５０との間で必要な情報をやりとりする。メインＣＰＵ６２の動作クロックは、クロック発生器８８から与えられる。クロック発生器８８は、制御系ＣＰＵ５０、第１表示ユニット１００、および第２表示ユニット１０１に対してもそれぞれ異なる周波数のクロックを提供する。
【００２４】
メインＣＰＵ６２には、キャラクタ生成部８４とタイマ８６が併設されている。タイマ８６は電池でバックアップされ、つねに日時をカウントしている。このカウント値から撮像日時に関する情報、その他の時刻情報がメインＣＰＵ６２に与えられる。キャラクタ生成部８４は、撮影日時、タイトル等の文字情報を発生し、この文字情報が適宜撮像画像に合成される。
【００２５】
メモリ制御部６４は、不揮発性メモリ６６とメインメモリ６８を制御する。不揮発性メモリ６６は、ＥＥＰＲＯＭ（電気的消去およびプログラム可能なＲＯＭ）やＦＬＡＳＨメモリなどで構成され、ユーザーによる設定情報や出荷時の調整値など、デジタルカメラ１０の電源がオフの間も保持すべきデータが格納されている。不揮発性メモリ６６には場合によりメインＣＰＵ６２のブートプログラムやシステムプログラムなどが格納されても良い。一方、メインメモリ６２は一般にＤＲＡＭのように比較的安価で容量の大きなメモリで構成される。メインメモリ６８は、撮像ユニット２０および音声取得ユニット１３０から出力されたデータを格納するフレームメモリとしての機能、各種プログラムをロードするシステムメモリとしての機能、その他ワークエリアとしての機能を持つ。不揮発性メモリ６６とメインメモリ６８は、処理ユニット６０内外の各部とメインバス８２を介してデータのやりとりを行う。
【００２６】
ＹＣ処理部７０は、デジタル画像データにＹＣ変換を施し、輝度信号と色差（クロマ）信号Ｂ−Ｙ、Ｒ−Ｙを生成する。輝度信号と色差信号はメモリ制御部６４によってメインメモリ６８に一旦格納される。圧縮伸張処理部７８はメインメモリ６８から順次輝度信号と色差信号を読み出して圧縮する。こうして圧縮されたデータ（単に「圧縮データ」という）は、メモリカードドライブ制御部７４を介して、メモリカード７６へ書き込まれる。
【００２７】
処理ユニット６０はさらにエンコーダ７２を持つ。エンコーダ７２は輝度信号と色差信号を入力し、これらをビデオ信号（ＮＴＳＣやＰＡＬ信号）に変換してビデオ出力端子９０から出力する。メモリカード７６に記録されたデータからビデオ信号を生成する場合、そのデータはまずメモリカードドライブ制御部７４を介して圧縮伸張処理部７８へ与えられる。つづいて、圧縮伸張処理部７８で必要な伸縮処理されたデータはエンコーダ７２によってビデオ信号へ変換される。
【００２８】
メモリカードドライブ制御部７４は、メモリカード７６に認められる信号仕様およびメインバス８２とメモリカード７６の間で必要な信号の生成、論理変換、または電圧変換などを行う。
【００２９】
通信Ｉ／Ｆ部８０は、デジタルカメラ１０がサポートする通信仕様、たとえばＵＳＢ，ＲＳ２３２Ｃ，イーサネットなどの仕様に応じたプロトコル変換等の制御を行う。通信Ｉ／Ｆ部８０は、必要に応じてドライバＩＣを含み、ネットワークを含む外部機器とコネクタ９２を介して通信する。そうした標準的な仕様のほかに、例えばプリンタ、カラオケ機、ゲーム機等の外部機器との間で独自のＩ／Ｆによるデータ授受を行う構成としても良い。
【００３０】
音声出力部９４は、メインメモリ６８またはメモリカード７６から読み出された音声データを、スピーカー９８またはヘッドホン接続端子９６を介してヘッドホンなどの外部機器へ出力するための処理を行う。具体的には、Ｄ／Ａ変換処理、伸張処理、増幅処理などが行われる。これらの処理の一部または全てがメインＣＰＵ６２で行われても良い。
【００３１】
データ操作ユニット１２０は、音楽データおよび画像データを再生するための操作キーを含む。データ操作ユニット１２０は、一例として、「再生」、「停止」、「早送り」、「巻き戻し」、「反転」、「一時停止」などのキーを含む。
【００３２】
第２表示ユニット１００は、ＬＣＤパネル１０４を有する。ＬＣＤパネル１０４は、ＬＣＤドライバであるパネルドライバ１０８によって制御される。ＬＣＤパネル１０４は、例えば小さな白黒ＬＣＤでメモリカードドライブユニット２００に設けられる。ＬＣＤパネル１０４は、画質（ＦＩＮＥ／ＮＯＲＭＡＬ／ＢＡＳＩＣなど）、ストロボ発光／発光禁止、標準撮影可能枚数、画素数、電池容量などの情報を簡易的に表示する。また、ＬＣＤパネル１０４は、音楽再生時の選曲情報を表示する。
【００３３】
以上の構成による主な動作は以下のとおりである。
【００３４】
まずデジタルカメラ１０のカメラ本体部パワースイッチ１１２がオンされ、カメラ各部に電力が供給される。メインＣＰＵ６２は、機能設定部１１６の状態を読み込むことで、デジタルカメラ１０が、静止画撮像モード、静止画再生モード、動画撮像モード、動画再生モード、音楽再生モード、機能設定モード、データ転送モードのいずれかにあるかを判断する。
【００３５】
デジタルカメラ１０が静止画撮像モードにあるとき、メインＣＰＵ６２はレリーズスイッチ１１４の半押し状態を監視する。半押し状態が検出されたとき、メインＣＰＵ６２は測光センサ５４および測距センサ５２からそれぞれ測光データと測距データを得る。得られたデータに基づいて制御ユニット４０が動作し、撮像レンズ２２のピント、絞りなどの調整が行われる。調整が完了すると、ＬＣＤモニタ１０２に「スタンバイ」などの文字を表示してユーザーにその旨を伝え、つづいてレリーズスイッチ１１４の全押し状態を監視する。レリーズスイッチ１１４が全押しされると、所定のシャッタ時間をおいてシャッタ２６が閉じられ、ＣＣＤ３０の蓄積電荷が撮像信号処理部３２へ掃き出される。撮像信号処理部３２による処理の結果生成されたデジタル画像データはメインバス８２へ出力される。デジタル画像データは一旦メインメモリ６８へ格納され、この後ＹＣ処理部７０と圧縮伸張処理部７８で処理を受け、メモリカードドライブ制御部７４を経由してメモリカード７６へ記録される。記録された画像は、フリーズされた状態でしばらくＬＣＤモニタ１０２へ表示され、ユーザーは撮像画像を知ることができる。以上で一連の撮像動作が完了する。
【００３６】
デジタルカメラ１０が静止画再生モードの場合、メインＣＰＵ６２は、メモリ制御部６４を介してメインメモリ６８から最後に撮像した画像を読み出し、これを第１表示ユニット１００のＬＣＤモニタ１０２へ表示する。この状態でユーザーがデータ操作ユニット１２０にて「順送り」、「逆送り」を指示すると、現在表示している画像の前後に撮像された画像が読み出され、ＬＣＤモニタ１０２へ表示される。
【００３７】
デジタルカメラ１０が動画撮像モードの場合、メインＣＰＵ６２は、レリーズスイッチ１１４の中途押し下げ状態を監視する。中途押し下げ状態が検出されたとき、メインＣＰＵ６２は前述の静止画撮像モードのときと同様に記録品質調整処理を行う。このとき、同時に音声レベル調整処理が行われる。続いて、メインＣＰＵ６２はレリーズスイッチ１１４の最終押し下げ状態を監視する。レリーズスイッチ１１４が全押しされると、所定の同期信号に基づいてＣＣＤ３０の蓄積電荷が撮像信号処理部３２へ掃き出される。その後、静止画撮像モードのときと同様な処理を経てデジタル画像データが順次メモリカード７６へ記録される。このとき、同時に音声取得ユニット１３０が取得した音声データが順次メモリカード７６へ記録される。動画を記録している間、メインＣＰＵ６２は、レリーズスイッチ１１４の中途押し下げ状態を監視する。中途押し下げ状態が検出されると、メインＣＰＵ６２は動画および音声の記録を停止する。
【００３８】
デジタルカメラ１０が動画再生モードまたは音声再生モードの場合、メインＣＰＵ６２は、操作ユニット１１０から伝達されるユーザーの指示に基づいて、メモリカードドライブ制御部７４を介してメモリカード７６から動画データまたは音声データを読み出す。動画データの場合は、データフォーマットに応じて圧縮伸張処理部７８、ＹＣ処理部７０、および音声出力部９４で必要な処理を施された後、画像が第１表示ユニット１００のＬＣＤモニタ１０２へ表示され、音声がヘッドホン接続端子９６を介して音声がヘッドホンに出力される。スピーカ９８へ音声が出力されても良い。ユーザーは、機能設定部１１６、データ操作ユニット１２０を介して、「再生」、「停止」、「早送り」、「巻き戻し」、「反転」、「一時停止」などの指示を伝達し、所望の情報を再生することができる。
【００３９】
図２は、本発明の第１の実施形態に係るデジタルカメラ１０の全体の外観を示す図である。デジタルカメラ１０は、カメラ本体１２とメモリカードドライブユニット２００に分けることができ、着脱が自在である。カメラ本体１２とメモリカードドライブユニット２００は、それぞれの電源のオンオフ用に、カメラ本体部パワースイッチ１１２およびメモリカードドライブユニット部パワースイッチ２１０を有する。
【００４０】
メモリカードドライブユニット部パワースイッチ２１０は、メモリカードドライブユニット２００がカメラ本体１２に装着されたときに、外部に露出しない位置に設けられても良く、その場合には、カメラ本体部パワースイッチ１１２で、メモリカードドライブユニット部パワースイッチ２１０の電源のオンオフも行う。これにより、メモリカードドライブユニット２００とカメラ本体１２それぞれに、パワースイッチがあることによる紛らわしさをなくすことができる。
【００４１】
メモリカード７６は、メモリカードドライブユニット２００に設けられたメモリカードスロット３０４に挿入することができ、メモリカードイジェクトボタン２０４によりメモリカードスロット３０４から出すことができる。
【００４２】
本実施形態に係るデジタルカメラ１０では、着脱自在なカメラ本体１２またはメモリカードドライブユニット２００を個別にバージョンアップすることでデジタルカメラとしての機能を高めることができる。
【００４３】
メモリカードドライブユニット２００は、ヘッドホン接続端子９６を有する。ヘッドホン接続端子９６は、メモリカードドライブユニット２００がカメラ本体１２に装着されたときに、デジタルカメラ１０の外部に露出する位置にある。ヘッドホン接続端子９６は、メモリカードドライブユニット２００をカメラ本体１２から取り外したときにも使用できる。
【００４４】
カメラ本体１２は、メモリカードドライブユニット２００を取り外すためのボタンを有しても良い（図示せず）。
【００４５】
図３は  本発明の第１の実施形態に係るデジタルカメラ１０のデータリスト表示方法を示す図である。デジタルカメラ１０に設けられたＬＣＤモニタ１０２には、静止画データ、動画データ等の画像データサムネイル３００および音楽データサムネイル３０２が同時に表示可能である。
【００４６】
図４は、本発明の第１の実施形態に係るデジタルカメラ１０のデータ選択方法の手順を示すフローチャートである。デジタルカメラ１０にカメラ本体部パワースイッチ１１２、またはメモリカードドライブユニット部パワースイッチ２１０によって電力が供給される。メインＣＰＵ６２は、機能設定部１１６の状態を取得して動作モードを判断する（Ｓ２００）。静止画再生モード、動画再生モード、および音楽再生モードのいずれかの動作モードに設定されているときは、Ｙに進む。動作モードが静止画再生モード、動画再生モード、音楽再生モードのいずれにも該当しないときは、Ｎに進み、引き続き動作モードを監視する。再生モードに入っている場合には、メモリカードドライブユニット２００がカメラ本体１２に装着されているかを判断する（Ｓ２０２）。装着されていれば、Ｙに進み、ＬＣＤモニタ１０２においてメモリカード７６に格納された静止画データ、動画データ、音楽データが表示され、選択可能になる。メモリカードドライブユニット２００がカメラ本体１２に装着されていない場合には、Ｎに進み、ＬＣＤパネル１０４においてメモリカード７６に格納された音楽データのみが選択可能になる。続いて、データ操作ユニット１２０を使ったマニュアルによるデータ選択が監視される（Ｓ２０８）。マニュアル操作が行われない場合には、Ｎに進み、引き続きデータ操作ユニット１２０による操作を監視する。マニュアル操作が始まると、Ｙに進み、マニュアル操作に応じたマニュアル選択処理（Ｓ２１０）を実行する。さらに、データ再生操作が行われた場合には、情報再生処理（Ｓ２１２）により再生処理を実行する。
【００４７】
図５は、本発明の第１の実施形態に係るデジタルカメラ１０の電源ユニットの概略を示すブロック図である。第１切替部４０４は、第１電池４００からカメラ本体１２へ接続された第１のダイオード４０８および第２電池４０２からメモリカードドライブユニット２００へ接続された第２のダイオード４１０を有する。また、第２切替部４０６は、第１電池４００からのメモリカードドライブユニット２００へ接続された第３のダイオード４１２および第２電池４０２からメモリカードドライブユニット２００へ接続された第４のダイオード４１４を有する。
【００４８】
第１切替部４０４は、第１電池４００の電圧から第１のダイオード４０８の降下電圧を差し引いた電圧値が第２電池４０２の電圧から第２のダイオード４１０の降下電圧を差し引いた電圧値より低くなると、第２電池４０２からカメラ本体１２へ電力を送る。第２切替部４０６は、第２電池４０２の電圧から第４のダイオード４１４の降下電圧を差し引いた電圧値が第１電池４００の電圧から第３のダイオード４１２の降下電圧を差し引いた電圧値より低くなると、第１電池４００からめメモリカードドライブユニット２００へ電力を送る。これによれば、メモリカードドライブユニット２００をカメラ本体１２に装着した状態で、メモリカードドライブユニット２００か、カメラ本体１２のどちらかの電源が消耗したときに、相互に電力を供給できる。
【００４９】
（実施形態２）
図６は、本発明の第２の実施形態に係るデジタルカメラ１０の全体の外観を示す図である。本実施形態のデジタルカメラ１０は、図１においてカメラ本体部パワースイッチ１１２がない。それ以外の構成、動作は、図1に示した実施携帯１のデジタルカメラ１０と同様である。カメラ本体１２のパワーのオンオフは、メモリカードドライブユニット２００がカメラ本体１２に装着されたときに、メモリカードドライブユニット２００に設けられたメモリカードドライブユニット部パワースイッチ２１０により電源供給回路を通して行われる。これにより、メモリカードドライブユニット２００とカメラ本体１２それぞれに、パワースイッチがあることによる紛らわしさをなくすことができる。
【００５０】
（実施形態３）
図７は、本発明の第３の実施形態に係るデジタルカメラの全体の外観を示す図である。デジタルカメラ１０のカメラ本体１２にメモリカードドライブユニットスロット２１２が設けられており、メモリカードドライブユニット２００を格納できる。メモリカードドライブユニット２００がカメラ本体１２に格納されると、メモリカード保護カバー２０８が閉じる。メモリカード保護カバー２０８により、メモリカードドライブユニット２００のメモリカードイジェクトボタン２０４とメモリカードドライブユニット部パワースイッチ２１０がデジタルカメラ１０の外部から容易にアクセスできなくなる。メモリカードイジェクトボタン２０４とメモリカードドライブユニット部パワースイッチ２１０は、メモリカード保護カバー２０８を開いても、デジタルカメラ１０の外部に露出しない面に設けても良い。
データ操作ユニット１２０は、カメラ本体１２にも設けられていることが好ましい。これによって、メモリカードドライブユニット２００をカメラ本体１２に装着したときにも、データの操作ができる。
【００５１】
メモリカードドライブユニット２００の取り出しは、カメラ本体１２に設けられたメモリカードドライブユニットイジェクトボタン２０６を押し込んだ状態で、
カメラ本体１２のスロットから引き出すことで行われる。
【００５２】
なお、以上の実施形態においては、ＹＣ処理部７０、通信Ｉ／Ｆ部８０は、カメラ本体１２にあっても良い。
【００５３】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００５４】
【発明の効果】
上記説明から明らかなように、本発明によれば音楽再生も可能で、かつ音楽再生機能のみを使用するときに携帯が容易なデジタルカメラを提供することができる。
【図面の簡単な説明】
【図１】  本発明の第１の実施形態に係るデジタルカメラ全体の構成を示すブロック図である。
【図２】  本発明の第１の実施形態に係るデジタルカメラの全体の外観を示す図である。
【図３】  本発明の第１の実施形態に係るデジタルカメラのデータリスト表示方法を示すフローチャートである。
【図４】  本発明の第１の実施形態に係るデジタルカメラのデータ選択方法の手順を示す図である。
【図５】  本発明の第１の実施形態に係るデジタルカメラの電源ユニットの概略を示すブロック図である。
【図６】  本発明の第２の実施形態に係るデジタルカメラの全体の外観を示す図である。
【図７】  本発明の第３の実施形態に係るデジタルカメラの全体の外観を示す図である。
【符号の説明】
１０  デジタルカメラ
１２  カメラ本体
２０  撮像ユニット
４０  制御ユニット
６０  処理ユニット
６２  メインＣＰＵ
６８  メインメモリ
７４  メモリカードドライブ制御部
７６  メモリカード
８２  メインバス
９６  ヘッドホン接続端子
１００  第１表示ユニット
１１０  カメラ操作ユニット
１１２  カメラ本体部パワースイッチ
１１４  レリーズスイッチ
１１６  機能設定部
１１８  ズームスイッチ
１２０  データ操作ユニット
１３０  音声取得ユニット
２００  メモリカードドライブユニット
２０４  メモリカードイジェクトボタン
２０６  メモリカードドライブユニットイジェクトボタン
２０８  メモリカード保護カバー
２１０  メモリカードドライブユニット部パワースイッチ
３０４  メモリカードスロット
４００  第１電池
４０２  第２電池
４０４  第１切替部
４０６  第２切替部
【図１】
0004127748.tif 000002
【図２】
0004127748.tif 000003
【図３】
0004127748.tif 000004
【図４】
0004127748.tif 000005
【図５】
0004127748.tif 000006
【図６】
0004127748.tif 000007
【図７】
0004127748.tif 000008